(57)【要約】      （修正有）【課題】モーターの回動による遠心分離回転盤の回転を利用して、加湿と冷風を得られるようにした回転式加湿器を得る。【解決手段】  本体１は中空で任意形状の円筒体であり、上面には操作パネル３を設け、正面となる周壁の上方に冷気噴出口４と、その下部に水量計を設ける。側壁となる一方に注水口６と、片側に吸気ネット７を付けた吸気口８を設け、本体内部の上方に水滴分離フィルター１０を設け、その下部に円縁が櫛歯状となる霧発生櫛円盤１２を設ける。その霧発生櫛円盤の中心を本体上部に設けたモーター１５に軸着し、更にその回動軸に霧送風翼１６を軸着する。霧発生櫛円盤の下面内側に回動円錐孔１７を有する遠心分離回転盤１８を設け、その遠心分離回転盤の下面において回動円錐孔の円周に小さな多孔水放射円環を設け、回動円錐孔の上端に水切り羽根２０を設け、本体下部の水槽部２１に氷接触防止用ネット２２を設けて回動円錐孔を着水させる。【選択図】  図２
2006057977.tif 000002
【特許請求の範囲】
【請求項１】
本体が中空で任意形状の円筒体となり、上面には操作パネルを設け、正面となる周壁の上方に冷気噴出口と、その下部に水量計を設け、側壁となる一方に注水口と、片側に吸気ネットを付けた吸気口を設け、本体内部の上方に水滴分離フィルターを設け、その下部に円縁が櫛歯状となる霧発生櫛円盤を設け、その霧発生櫛円盤の中心に孔をあけ、孔に回動軸を通して本体上部の設けたモーターに軸着し、その回動軸に円盤状で多翼羽根が付く霧送風翼を軸着し霧発生櫛円盤の上方に設け、霧発生櫛円盤の下面内側に回動円錐孔が付く遠心分離回転盤を設け、その遠心分離回転盤の下面において回動円錐孔の円周に小さな多孔水放射円環を設け、回動円錐孔の上端に水切り羽根を設け、本体下部の水槽部に氷接触防止用ネットを設けて回動円錐孔が着水することを特徴とする回転式加湿器。
【請求項２】
前記モーターの回動により遠心分離回転盤が回転し、本体内部の水槽部より回動円錐孔が水の結合を利用して水を汲み上げ、汲み上げられた水が多孔水放射円環から万遍無く放射され、放射された水滴が円盤台座の櫛歯状となる霧発生櫛に当り、砕かれて霧を発生させ、本体上方の冷気噴出口から霧と冷風が噴出される請求項１記載の回転式加湿器。
【請求項３】
前記水滴分離フィルターとモーターとの間にシロッコファンを設け、モーターの回動により、連動してシロッコファンが左右方向に回動し、冷気噴出が増力送風できるようにした請求項１記載の回転式加湿器。
【請求項４】
前記シロッコファンの片方となる横にモーターを設け、モーターの回動により、連動してシロッコファンが上下方向に回動し、冷気噴出が増力送風できるようにした請求項１記載の回転式加湿器。
【請求項５】
前記本体上面の一辺に吸気枠口を設け、その吸気枠口の本体内部に塵フィルターを設け、塵フィルターの下部にモーターを設け、そのモーターの周辺にドーナツ型活性炭フィルターを設け、モーターの下部に霧発生櫛円盤を設け、その霧発生櫛円盤の中心に孔をあけ、孔に回動軸を通してモーターに軸着し、回動軸に円盤状で多翼羽根が付く吸気フィンを軸着して霧発生櫛円盤の上部に設けている請求項１記載の回転式加湿器。
【請求項６】
前記遠心分離回転盤に防水キャップを設け、回動円錐孔の孔内部から先端部まで複数の突条を設けた請求項１、２、３、４、５記載の回転式加湿器。
【発明の詳細な説明】
【技術分野】
【０００１】  この発明は、回転式加湿器に関する。
【背景技術】
【０００２】
【特許文献１】      特願平９−１７５０３８      特開平１１−１９５３７
【特許文献２】      特願平９−１７５０３９      特開平１１−２３０１９
【特許文献３】      特願平９−１７５０４０      特開平１１−１９５３６
【特許文献４】      特願２００２−１７０７０４  特開２００３−３２９２７３
【発明の開示】
【発明が解決しようとする課題】
【０００３】    従来の加湿器では水を蒸気化し加湿出来るものがあるが、構造が複雑になるため小型化でき難いことや、冷風を発生させられない問題があった。【０００４】    本発明は、モーターの回動により遠心分離回転盤が回転し、本体内部の水槽部より回動円錐孔が水の結合を利用して水を汲み上げ、汲み上げられた水が多孔水放射円環から万遍無く放射され、放射された水滴が円盤台座の櫛歯状となる霧発生櫛に当り、砕かれて霧を発生させ噴出させ、加湿と冷風を得られるようにした回転式加湿器の提供を目的とするものである。
【課題を解決するための手段】
【０００５】    前記の課題を達成するため、本体が中空で任意形状の円筒体となり、上面には操作パネルを設け、正面となる周壁の上方に冷気噴出口と、その下部に水量計を設け、側壁となる一方に注水口と、片側に吸気ネットを付けた吸気口を設け、本体内部の上方に水滴分離フィルターを設け、その下部に円縁が櫛歯状となる霧発生櫛円盤を設け、その霧発生櫛円盤の中心に孔をあけ、孔に回動軸を通して本体上部の設けたモーターに軸着し、その回動軸に円盤状で多翼羽根が付く霧送風翼を軸着し霧発生櫛円盤の上方に設け、霧発生櫛円盤の下面内側に回動円錐孔が付く遠心分離回転盤を設け、その遠心分離回転盤の下面において回動円錐孔の円周に小さな多孔水放射円環を設け、回動円錐孔の上端に水切り羽根を設け、本体下部の水槽部に氷接触防止用ネットを設けて回動円錐孔が着水となる手段を講ずる。【０００６】    また、水滴分離フィルターとモーターとの間にシロッコファンを設け、モーターの回動により、連動してシロッコファンが回動し、冷気噴出が増力送風できることが好ましい。【０００７】    また、シロッコファンの片方となる横にモーターを設け、モーターの回動により、連動してシロッコファンが上下方向に回動し、冷気噴出が増力送風できるようにしてもよい。【０００８】    更に、本体上面の一辺に吸気枠口を設け、その吸気枠口の本体内部に塵フィルターを設け、塵フィルターの下部にモーターを設け、そのモーターの周辺にドーナツ型活性炭フィルターを設け、モーターの下部に霧発生櫛円盤を設け、その霧発生櫛円盤の中心に孔をあけ、孔に回動軸を通してモーターに軸着し、回動軸に円盤状で多翼羽根が付く吸気フィンを軸着して霧発生櫛円盤の上部に設け、霧発生櫛円盤の下面内側に回動円錐孔が付く遠心分離回転盤を設け、その遠心分離回転盤の回動円錐孔の円周に小さな多孔水放射円環を設けてもよい。【０００９】    そして、モーターの回動により遠心分離回転盤が回転し、本体内部の水槽部より回動円錐孔が水の結合を利用して水を汲み上げ、汲み上げられた水が多孔水放射円環から万遍無く放射され、放射された水滴が円盤台座の櫛歯状となる霧発生櫛に当り、砕かれて霧を発生させ、本体上方の冷気噴出口から霧が噴出されることが好ましい。【００１０】    また、遠心分離回転盤に防水キャップを設け、回動円錐孔の孔内部から先端部まで複数の突条を設けることが好ましい。
【発明の効果】
【００１１】    従来の加湿器では水を蒸発させて加湿する方法であった為、冷風を噴出させることが出来なかったが、この回転式加湿器では、水を直接霧化することで加湿と気化熱を吸収して冷風を噴出させられるものである。
【発明を実施するための最良の形態】
【００１２】    発明の実施の形態を実施例にもとづき図面を参照して説明する。
図１〜図２で示す実施例では、本体１が中空で任意形状の円筒体２となり、上面には操作パネル３を設け、正面となる周壁の上方に冷気噴出口４と、その下部に水量計５を設け、側壁となる一方に注水口６と、片側に吸気ネット７を付けた吸気口８を設け、本体１下端の一辺に排水口９を設け、本体１内部の上方に水滴分離フィルター１０を設け、その下部に円縁が櫛歯状１１となる霧発生櫛円盤１２を設け、その霧発生櫛円盤１２の中心に孔１３をあけ、孔１３に回動軸１４を通して本体１上部の設けたモーター１５に軸着し、その回動軸１４に円盤状で多翼羽根が付く霧送風翼１６を軸着して霧発生櫛円盤１２の上方に設け、霧発生櫛円盤１２の下面内側に回動円錐孔１７が付く遠心分離回転盤１８を設け、その遠心分離回転盤１８の下面において回動円錐孔１７の円周に小さな多孔水放射円環１９を設け、回動円錐孔１７の上端に水切り羽根２０を設け、本体１下部の水槽部２１に氷接触防止用ネット２２を設けて回動円錐孔１７が着水するようにしている。【００１３】    また、図２〜図４で示す実施例では、モーター１５の回動により遠心分離回転盤１８が回転し、本体１内部の水槽部２１より回動円錐孔１７が水の結合を利用して水を汲み上げ、汲み上げられた水が多孔水放射円環１９から万遍無く放射され、放射された水滴が霧発生櫛円盤１２の櫛歯状１１に当り、砕かれて霧２３を発生させ、本体１上方の冷気噴出口４から霧２３と冷風２４が噴出されるようになるものである。【００１４】    また、図５で示す実施例では、水滴分離フィルター１０とモーター１５との間にシロッコファン２５を設け、モーター１５の回動により、連動してシロッコファン２５が回動し、冷気噴出が増力送風できるようにしている。【００１５】    また、図６で示す実施例では、シロッコファン２５の片方となる横と霧発生櫛円盤１２の上面にモーター１５を設け、モーター１５の回動により、連動してシロッコファン２５が上下方向に回動し、冷気噴出が増力送風できるようにしている。【００１６】    そして、図７〜図８で示す実施例では、本体１上面の一辺に吸気枠口２６を設け、本体１正面の側面に確認窓２７を設け、その吸気枠口２６の本体１内部に塵フィルター２８を設け、塵フィルター２８の下部にモーター１５を設け、そのモーター１５の周辺にドーナツ型活性炭フィルター２９を設け、モーター１５の下部に霧発生櫛円盤１２を設け、その霧発生櫛円盤１２の中心に孔１３をあけ、孔１２に回動軸１４を通してモーター１５に軸着し、回動軸１４に円盤状で多翼羽根が付く吸気フィン３０を軸着して霧発生櫛円盤１２の上部に設けるようにしている。【００１７】    また、図９〜図１１で示す実施例では、遠心分離回転盤１８に防水キャップ３１を設け、回動円錐孔１７の孔内部３２から先端部３３まで複数の突条３４を設けている。
【図面の簡単な説明】
【００１８】
【図１】  本発明の実施例を示す斜視図である。
【図２】  本発明の実施例の構造を示す正面からの断面図である。
【図３】  本発明の櫛歯状となる霧発生櫛円盤の実施例を示す側面図である。
【図４】  本発明の遠心分離回転盤の回動円錐孔及び多孔水放射円環の実施例を示す底面図である。
【図５】  本発明の水滴分離フィルターとモーターとの間にシロッコファンを設けた実施例を示す正面からの断面図である。
【図６】  本発明のシロッコファンが上下方向に回動しする実施例を示す正面からの断面図である。
【図７】  本発明の本体上面の吸気枠口と正面側壁の確認窓の実施例を示す斜視図である。
【図８】  本発明の本体内部に塵フィルターとドーナツ型活性炭フィルターを設けた実施例を示す側面からの断面図である。
【図９】  本発明の回動円錐孔を下部から見た先端部の突条を示す底面図である。
【図１０】  本発明の遠心分離回転盤を上部から見た突条を示す平面図及び防キャップを下部から見た底面図である。
【図１１】  本発明の回動円錐孔と一体となる遠心分離回転盤に防水キャップを嵌着する構成を示した側面図である。
【符号の説明】
【００１９】  １  本体
２  円筒体
３  操作パネル
４  冷気噴出口
５  水量計
６  注水口
７  吸気ネット
８  吸気口
９  排水口
１０  水滴分離フィルター
１１  櫛歯状
１２  霧発生櫛円盤
１３  孔
１４  回動軸
１５  モーター
１６  霧送風翼
１７  回動円錐孔
１８  遠心分離回転盤
１９  多孔水放射円環
２０  水切り羽根
２１  水槽部
２２  氷接触防止用ネット
２３  霧
２４  冷風
２５  シロッコファン
２６  吸気枠口
２７  確認窓
２８  塵フィルター
２９  ドーナツ型活性炭フィルター
３０  吸気フィン
３１  防水キャップ
３２  孔内部
３３  先端部
３４  突条
【図１】
2006057977.tif 000003
【図２】
2006057977.tif 000004
【図３】
2006057977.tif 000005
【図４】
2006057977.tif 000006
【図５】
2006057977.tif 000007
【図６】
2006057977.tif 000008
【図７】
2006057977.tif 000009
【図８】
2006057977.tif 000010
【図９】
2006057977.tif 000011
【図１０】
2006057977.tif 000012
【図１１】
2006057977.tif 000013